(57)【要約】【課題】  趣味的な要素を取り入れた組み合わせ定規を提供する。【解決手段】  主定規部分１と副定規部分２と、両者を連結し自由に自転できるように軸支する回転軸３とを備える。主定規部分１の第１の基準辺５と、これと向かい合う副定規部分２の第２の基準辺４とにより形成され、挟み状に交差する交差直線の挟む角を表示する。この表示には、回転軸３を中心とする角度表示目盛り６と、カーソル７を使用する。主定規部分１と副定規部分２が、それぞれ特定の物体の一部の形状を模写した外観に構成されて、交差直線の挟む角が変化する前の状態と後の状態とが、当該物体の所定の動作の前の状態と後の状態を表す。【選択図】図１
2007038517.tif 000002
【特許請求の範囲】
【請求項１】
主定規部分と、副定規部分と、前記主定規部分と副定規部分とを連結し、両者が自由に自転できるように軸支する回転軸とを備え、
前記主定規部分の第１の基準辺と、これと向かい合う前記副定規部分の第２の基準辺とにより形成され、挟み状に交差する交差直線の挟む角を表示する表示手段を、
前記主定規部分もしくは副定規部分の一方に形成された、前記回転軸を中心とする角度表示目盛りと、他方に形成されたカーソルであって、前記角度表示目盛りと重なり合って、前記交差直線の挟む角を表示するもの、とにより構成し、
前記主定規部分と副定規部分の一方または双方が、特定の物体の一部の形状を模写した外観に構成され、前記交差直線の挟む角が変化する前の状態と後の状態とが、当該物体の所定の動作の前の状態と後の状態を表すように、前記主定規部分と副定規部分の外観を選定したことを特徴とする組み合わせ定規。
【請求項２】
前記主定規部分と副定規部分のいずれか一方または双方の、前記基準線と前記回転軸を通る直線とが平行でないとき、前記角度表示目盛りには、前記交差直線の挟む角の実測値を表示することを特徴とする組み合わせ定規。
【請求項３】
請求項１に記載の組み合わせ定規において、
前記主定規部分および副定規部分の、挟み状に交差する交差直線に沿って長さ表示用の目盛りが表示されており、
前記主定規部分もしくは副定規部分の一方と前記回転軸とが、前記目盛りに平行な長孔により連結されていることを特徴とする組み合わせ定規。
【発明の詳細な説明】
【技術分野】
【０００１】
本発明は、挟み状に交差する交差直線を引くための組み合わせ定規に関する。
【背景技術】
【０００２】
製図作業にはいろいろな定規を使用する。交差する直線を簡便に引くために、自在分度器と呼ばれる組み合わせ定規が紹介されている。（特許文献１）。
【特許文献１】実開平１−１２７７９５号公報
【発明の開示】
【発明が解決しようとする課題】
【０００３】
従来紹介されている自在分度器は、あくまでも、正確な製図のために用いられる。しかしながら、こうした定規を子供の文房具として利用する場合には、楽しく学習を進めるような工夫が好ましい。本発明は以上の点に着目してなされたもので、趣味的な要素を取り入れた組み合わせ定規を提供することを目的とする。
【課題を解決するための手段】
【０００４】
本発明の各実施例においては、それぞれ次のような構成により上記の課題を解決する。
〈構成１〉
主定規部分と、副定規部分と、上記主定規部分と副定規部分とを連結し、両者が自由に自転できるように軸支する回転軸とを備え、上記主定規部分の第１の基準辺と、これと向かい合う上記副定規部分の第２の基準辺とにより形成され、挟み状に交差する交差直線の挟む角を表示する表示手段を、上記主定規部分もしくは副定規部分の一方に形成された、上記回転軸を中心とする角度表示目盛りと、他方に形成されたカーソルであって、上記角度表示目盛りと重なり合って、上記交差直線の挟む角を表示するもの、とにより構成し、上記主定規部分と副定規部分の一方または双方が、特定の物体の一部の形状を模写した外観に構成され、上記交差直線の挟む角が変化する前の状態と後の状態とが、当該物体の所定の動作の前の状態と後の状態を表すように、上記主定規部分と副定規部分の外観を選定したことを特徴とする組み合わせ定規。
【０００５】
主定規部分と副定規部分の向かい合う辺により、交差直線を引くことができる。挟み状に交差する辺を利用するので、交差点部分には軸が無い。従って、きれいに細い線により交差する直線を一気に描くことができる。交差直線の挟む角は、回転軸を中心とする角度表示目盛りで読み取ることができる。また、特定の物体の前後の状態を交差直線の挟む角の変化で表すことで、組み合わせ定規の、より趣味的な用途を拡張することができる。
【０００６】
〈構成２〉
上記主定規部分と副定規部分のいずれか一方または双方の、上記基準線と上記回転軸を通る直線とが平行でないとき、上記角度表示目盛りには、上記交差直線の挟む角の実測値を表示することを特徴とする組み合わせ定規。
【０００７】
いずれかの定規部分の基準辺と回転軸を通る直線とが平行でないときは、両方の定規部分の回転軸を通る直線の交差角度と交差直線の挟む角とは相違する。そこで、角度表示目盛りに交差直線の挟む角の実測値を表示して、実用化した。これにより、物体の種類や所定の動作表現の自由度を拡大できる。
〈構成３〉
構成１に記載の組み合わせ定規において、上記主定規部分および副定規部分の、挟み状に交差する交差直線に沿って長さ表示用の目盛りが表示されており、上記主定規部分もしくは副定規部分の一方と上記回転軸とが、上記目盛りに平行な長孔により連結されていることを特徴とする組み合わせ定規。
【０００８】
挟み状に交差する交差直線に沿って長さ表示用の目盛りを表示しておくと、特定の長さの交差直線を作図することができる。しかしながら、主定規部分と副定規部分の交差直線の交点に目盛りが正確に一致しないと寸法が見にくい。目盛りにほぼ平行な長孔により連結すると、その位置合わせができる。
【発明を実施するための最良の形態】
【０００９】
以下、本発明の実施の形態を実施例ごとに詳細に説明する。
【実施例１】
【００１０】
図１は、実施例１の組み合わせ定規を示す平面図である。
この組み合わせ定規は、主定規部分１と副定規部分２とを備える。主定規部分１と副定規部分２とが回転軸３により連結されている。これによって、主定規部分１は回転軸３を中心に自由に自転できる。副定規部分２は回転軸３を中心に自由に自転できる。こうして、両者はちょうど鋏のように回転する。回転軸３はこのように両者を軸支する。主定規部分１はこの例では透明のプラスチックに目盛りを形成したものである。副定規部分２はこの例ではイルカの形状を模写した外観に構成され、透明のプラスチックで構成されている。主定規部分１は第一の基準辺５を備える。副定規部分２は第二の基準辺４を備える。第一の基準辺５と第二の基準辺４とは互いに向かい合って挟み状に交差し、交差直線を形成する。なお、交差直線は、第一の基準辺５と第二の基準辺４と重複するので図示しない。
【００１１】
定規部分１の回転軸３の周辺には、角度表示目盛り６が印刷により形成されている。なおこの角度表示目盛り６は回転軸を中心として半円状に形成されている。一方、副定規部分２の回転軸３に近い部分には、カーソル７が印刷により形成されている。角度表示目盛り６とカーソル７は互いに重なり合って定規の交差直線の挟む角を表示する。以上の構成によって、この定規はイルカがジャンプした状態を表現する。すなわち、交差直線の挟む角が大きいときはジャンプしている状態である。交差直線の挟む角が小さいときは泳いでいる状態を表す。このように、特定の物体の一部の形状を模写し、交差直線の挟む角が変化する前の状態と後の状態とで、その物体の所定の動作を表す。これにより、組み合わせ定規をより楽しく使うことができる。
【実施例２】
【００１２】
図２は、実施例２の組み合わせ定規を示す平面図である。
この組み合わせ定規は、副定規部分８が実施例１と異なる。この副定規部分はシャチの形状を模写した外観に構成されている。その他の部分は実施例１と変わるところはない。従って、同一部分には同一の符号を付けた。副定規部分８には第２の基準辺９がもうけられている。この例では第１の基準辺５と第二の基準辺９によって形成される交差直線の挟む角を角度表示目盛り６で表示する。その他の動作は全て実施例１と同様である。
【実施例３】
【００１３】
図３と図４と図５は、実施例３の動作原理説明図である。
図３において、この組み合わせ定規は主定規部分１１と副定規部分１０とを備える。主定規部分１１と副定規部分１０とは、回転軸１２により連結されている。主定規部分１１は第１の基準辺１９を備える。副定規部分１０は第２の基準辺１８を備える。主定規部分１１の中心を通り、かつ、回転軸１２を通る直線１４と第１の基準辺１９とは平行である。
【００１４】
副定規部分１０の中心を通り、かつ、回転軸１２を通る直線１３と第２の基準辺１８とは平行である。従って直線１３と１４の挟む角Ａと第１の基準辺１９と第二の基準辺１８の挟む角Ｂとは等しい。図１に示した組み合わせ定規の角度表示目盛り６は角Ａを表示する。これはすなわち、角度Ｂを表示したことになる。
【００１５】
図４において、主定規部分１１は図３のものと同一である。一方、副定規部分１５は変形した第２の基準辺２１を備える。この第二の基準辺２１は直線１３と平行でない。この場合には、第１の基準辺１９と第二の基準辺２１の挟む角Ｃと角Ａとは相違する。従って、直線１３と直線１４の挟む角を角度表示目盛り６でそのまま表示したのでは誤りが生じる。この場合には、角度表示目盛り６に角Ｃを実測した値を記入するとよい。
【００１６】
図５に示した組み合わせ定規には図３や図４のものと異なる副定規部分１６を備える。この例でも直線１３と副定規部分１６の第二の基準辺２３とは平行でない。この例では、第１の基準辺１９と第２の基準辺２３の挟む角Ｄは角Ａより大きい。従って図４の例と同様に、角Ｄの実測値を角度表示目盛り６に記入するとよい。以上のように、この実施例では、主定規部分と副定規部分のいずれか一方または双方の基準線と回転軸を通る直線とが平行でない場合でも角度表示目盛りに正確に角度表示をすることができる。
【実施例４】
【００１７】
図６は実施例４の組み合わせ定規の平面図である。
この例では、主定規部分３１がカバの体の形状を模写した外観に構成されている。副定規部分３０はカバの頭部の形状を模写した外観に構成されている。
【実施例５】
【００１８】
図７は実施例５の組み合わせ定規の平面図である。
この例では、主定規部分３４がワニの体の形状を模写した外観に構成されている。副定規部分３３はワニの頭部の形状を模写した外観に構成されている。
【実施例６】
【００１９】
図８は実施例６の組み合わせ定規の平面図である。
この例では、主定規部分３７がペリカンの体の形状を模写した外観に構成されている。副定規部分３６はペリカンの頭部の形状を模写した外観に構成されている。
【実施例７】
【００２０】
図９は実施例７の組み合わせ定規の平面図である。
これまでの実施例では動物の形状を模写して例を説明した。しかしながら、この発明の組み合わせ定規は様々な物体を模写することができる。この例では、主定規部分４２は装飾を施していない。副定規部分４１は飛行機の形状を模写した外観に構成されている。
【実施例８】
【００２１】
図１０は実施例８の組み合わせ定規の平面図である。
この例では、主定規部分４６が装飾を施していない。副定規部分４５はロケットの形状を模写した外観に構成されている。
【実施例９】
【００２２】
図１１は実施例９の組み合わせ定規の平面図である。
この例では、主定規部分５２が装飾を施していない。副定規部分５１はモアイ像の形状を模写した外観に構成されている。
【実施例１０】
【００２３】
図１２は実施例１０の組み合わせ定規の平面図である。
この例では、主定規部分６２がヨットの船体の部分を形状を模写した外観に構成されている。副定規部分６１はヨットの帆の形状を模写した外観に構成されている。副定規部分を立てていると、ヨットが帆走している状態に見える。副定規部分を倒すと、ヨットの帆を下ろした状態に見える。
【実施例１１】
【００２４】
図１３は実施例１１の組み合わせ定規の平面図である。
この例では、主定規部分６６が潜水艦の下半分の形状を模写した外観に構成されている。副定規部分６５は潜水艦の上半分の形状を模写した外観に構成されている。副定規部分を立てていると、潜水艦が浮上している状態に見える。副定規部分を倒すと、通常の潜水艦の形状に見える。
【実施例１２】
【００２５】
図１４は実施例１２の組み合わせ定規の平面図である。
この実施例の主定規部分７２と副定規部分７０は実施例１１と基本的に同様の構成である。なお、角度表示目盛りの詳細は図示を省略した。ここでは副定規部分７０にカーソル７のみを表示している。この定規も挟み状に交差する交差直線を作図できる。主定規部分の交差直線に沿って長さ表示用の目盛り７６が設けられている。副定規部分７０の挟み状に交差する交差直線に沿って長さ表示用の目盛り７５が設けられている。ここで、主定規部分７２と副定規部分７０とは回転軸３によって連結されている。また、この実施例では副定規部分７０に回転軸３とはまりあう長孔７１が設けられている。したがって図の状態で副定規部分７０は長孔７１の方向に沿って自由にスライドさせることができる。なおこの長孔７１は副定規部分の長さ表示用の目盛り７５とほぼ平行に形成されている。
【００２６】
以上のように構成した、組み合わせ定規は次のように使用する。まず、図１５に示すように、副定規部分７０を、回転軸３を中心に回転させ、目盛り７５の設けられた直線と目盛り７６の設けられた直線により、ある角度表示目盛りの交差直線７８を作図する。このとき、この実施例では目盛り７５と７６によって交差直線の寸法を正確に計ることができる。図１５の状態では、交差直線の交点の上に目盛りがない。ここで、副定規部分を長孔７１に沿って移動する。これによって図１６に示すように交点上に目盛りを一致させることができる。長孔７１が目盛り７５と平行なので副定規部分を長孔７１に沿って動かしても交差直線の挟む角は狂わない。また、定規の実施例では副定規部分のみ長孔７１を設けたが、目盛りをあわせるために主定規部分にその目盛りに平行な長孔を設けてもよい。
【００２７】
以上の構成の組み合わせ定規を例えばミニチュアモデルにして、キーホルダーに付けたり、携帯電話のストラップにつけたりすることもできる。ミニチュアモデルであっても角度は十分に正確に測定できる。そのほか、主定規部分や副定規部分の各部に様々な凹凸を着けてもよい。例えば、波線状の凹凸をつければ、波線を引くことができる。円弧を設けてもよい。以上の実施例では、プラスチックを材料にしたが、紙や木を材料にして定規を製造してもよい。材料が不透明なら、見える場所に目盛りを配置すればよい。
【図面の簡単な説明】
【００２８】
【図１】実施例１の組み合わせ定規を示す平面図である。
【図２】実施例２の組み合わせ定規を示す平面図である。
【図３】実施例３の動作原理説明図である。
【図４】実施例３の動作原理説明図である。
【図５】実施例３の動作原理説明図である。
【図６】実施例４の組み合わせ定規の平面図である。
【図７】実施例５の組み合わせ定規の平面図である。
【図８】実施例６の組み合わせ定規の平面図である。
【図９】実施例７の組み合わせ定規の平面図である。
【図１０】実施例８の組み合わせ定規の平面図である。
【図１１】実施例９の組み合わせ定規の平面図である。
【図１２】実施例１０の組み合わせ定規の平面図である。
【図１３】実施例１１の組み合わせ定規の平面図である。
【図１４】実施例１２の組み合わせ定規の平面図である。
【図１５】実施例１２の組み合わせ定規の使用方法説明図である。
【図１６】実施例１２の組み合わせ定規の使用方法説明図である。
【符号の説明】
【００２９】
１  主定規部分
２  副定規部分
３  回転軸
４  第２の基準辺
５  第１の基準辺
６  角度表示目盛り
７  カーソル
【図１】
2007038517.tif 000003
【図２】
2007038517.tif 000004
【図３】
2007038517.tif 000005
【図４】
2007038517.tif 000006
【図５】
2007038517.tif 000007
【図６】
2007038517.tif 000008
【図７】
2007038517.tif 000009
【図８】
2007038517.tif 000010
【図９】
2007038517.tif 000011
【図１０】
2007038517.tif 000012
【図１１】
2007038517.tif 000013
【図１２】
2007038517.tif 000014
【図１３】
2007038517.tif 000015
【図１４】
2007038517.tif 000016
【図１５】
2007038517.tif 000017
【図１６】
2007038517.tif 000018